(57)【特許請求の範囲】
【請求項１】
電気接続箱の外壁に設けた１つの電線挿通口に装着され、該電線挿通口を通す複数組の電線群に外装するグロメットであって、
複数個の分割グロメット部材を備え、該分割グロメット部材はそれぞれ１つの電線挿通用の筒部と、該筒部の外周面から突設した連結部を備え、
前記各連結部に互いに嵌合する凹凸部を設けていると共に、該凹凸部を嵌合して一体的に連結した状態で、前記電線挿通口の内周面に嵌合する構成とし、かつ、
前記分割グロメット部材の筒部を通す電線群の先端に接続した電気部品が、前記筒部を最大に拡径した状態でも挿通不可の場合には、該分割グロメット部材に軸線方向の全長にスリットを設けていることを特徴とする電気接続箱に取り付けるグロメット。
【請求項２】
前記連結部を一体的に連結して、前記電線挿通口の内周面に嵌合した状態で、前記電線挿通口の両側周縁に沿って突出する位置決めリブを前記連結部の外面に設けている請求項１に記載の電気接続箱に取り付けるグロメット。
【請求項３】
前記分割グロメット部材は２個であり、
１つの分割グロメット部材に通す電線群は前記電気部品と予め接続し、前記電気接続箱に収容した前記電気部品から前記電気接続箱の外部へと引き出す電線群であり、
他の１つの分割グロメット部材に予め貫通させた電線群は、前記電線挿通口から前記電気接続箱の内部に挿入し、該電気接続箱の外壁の他の電線挿通口から引き出す電線群である請求項１または請求項２に記載の電気接続箱に取り付けるグロメット。
【請求項４】
前記複数の分割グロメット部材に挿通した電線群が、前記電気接続箱の外部で異なる方向に配線されるように、前記分割グロメット部材は前記筒部が互いに所定の角度をもって連結される請求項１乃至請求項３のいずれか１項に記載の電気接続箱に取り付けるグロメット。
【発明の詳細な説明】
【技術分野】
【０００１】
本発明は、電気接続箱に取り付けるグロメットに関し、特に、電気接続箱に設けた１つの電線挿通口に複数組の電線群を挿通するグロメットに関する。
【背景技術】
【０００２】
例えば、自動車のエンジンルーム等の被水領域に設置される電気接続箱から電線を引き出す場合や電気接続箱内に電線を引き込む場合、該電線をグロメットに挿通し、該グロメットを電気接続箱の外壁に設けた開口部に取り付け、電線を伝って電気接続箱内に水が浸入しないように止水を図っている。
【０００３】
この種の電気接続箱に複数の電線群を引き込む場合は、図８に示すように、各電線群４ａ、４ｂを個別のグロメット３ａ、３ｂに挿通し、該グロメット３ａ、３ｂを電気接続箱のケース１の外壁に設けた開口部２ａ、２ｂに取り付けることが行われている。（特開２００６−２８００３８号公報参照）
【０００４】
この場合、各電線群４ａ、４ｂの外周にグロメット３ａ、３ｂをそれぞれ密着して取り付けることができるため、高い止水性を確保することができる。しかしながら、各電線群４ａ、４ｂのそれぞれにグロメット３ａ、３ｂを取り付けることにより、配線スペースが大きくなるうえ、電気接続箱のケース１に複数の開口部２ａ、２ｂを設ける必要があり、ケースが複雑になると共に、ケース１の強度低下を招きやすい点に課題があった。
【０００５】
一方、電気接続箱に取り付けるグロメットの例ではないが、図９に示すグロメット５は、複数の電線群８ａ、８ｂを挿通する２つの電線挿通筒部７ａ、７ｂをグロメット本体６に一体に設けている。（特開２００３−１０２１２０号公報参照）
このグロメット５は、一つのグロメットに複数組の電線群８ａ、８ｂを挿通できるため、配線スペースを縮小できるうえ、グロメット５の構造を電気接続箱に取り付けるグロメットに応用すれば、電気接続箱のケースに設ける開口部の数および面積を減らすことができ、ケースの強度低下を防止できると考えられる。
【０００６】
しかしながら、前記グロメット５は電線群８ａ、８ｂが同一工程で製造される場合には使用できるが、電線群８ａ、８ｂの製造工程が異なる場合、各電線群８ａ、８ｂへのグロメット取り付け工程も異なってくるため、複数の電線挿通筒部７ａ、７ｂを一体に設けた１つのグロメット５では対応できなくなる。
【０００７】
【特許文献１】特開２００６−２８００３８号公報
【特許文献２】特開２００３−１０２１２０号公報
【発明の開示】
【発明が解決しようとする課題】
【０００８】
本発明は前記問題に鑑みてなされたもので、製造工程の異なる複数組の電線群に装着できると共に優れた止水性を備え、かつ、電気接続箱に設ける電線挿通用の開口部の数および面積を減らすことができる電気接続箱に取り付けるグロメットの提供を課題としている。
【課題を解決するための手段】
【０００９】
前記課題を解決するために、本発明は、電気接続箱の外壁に設けた１つの電線挿通口に装着され、該電線挿通口を通す複数組の電線群に外装するグロメットであって、
複数個の分割グロメット部材を備え、該分割グロメット部材はそれぞれ１つの電線挿通用の筒部と、該筒部の外周面から突設した連結部を備え、
前記各連結部に互いに嵌合する凹凸部を設けていると共に、該凹凸部を嵌合して一体的に連結した状態で、前記電線挿通口の内周面に嵌合する構成とし、かつ、
前記分割グロメット部材の筒部を通す電線群の先端に接続した電気部品が、前記筒部を最大に拡径した状態でも挿通不可の場合には、該分割グロメット部材に軸線方向の全長にスリットを設けていることを特徴とする電気接続箱に取り付けるグロメットを提供している。
【００１０】
前記グロメットは複数の分割グロメット部材を備えているため、該グロメットに挿通する複数組の電線群のワイヤハーネス製造工程が異なる箇所でなされても、各電線群に個別に前記分割グロメット部材を取り付けることができる。
また、１組（１束）の電線群は１つの分割グロメット部材に挿通させ、異なる組の電線群は別々に分割グロメット部材に通すため、各分割グロメット部材の１つの電線挿通用筒部内に１組の電線群の外周と電線挿通用筒部の内周面とを隙間なく密着させることができ、優れた止水性を備えることができる。
さらに、各分割グロメット部材の電線挿通用筒部の貫通方向（軸線方向）を、該電線挿通用筒部に挿通される電線群の経路に個別に対応させることができるため、経路規制や配線スペースの条件が厳しい箇所においても精密に対応することができる。
【００１１】
さらにまた、前記複数の分割グロメット部材は、前記連結部に設けた凹凸部の嵌合によって一体的に連結でき、この連結状態で一つの電線挿通口に取り付けることができるため、分割グロメットの電線挿通口への取り付けを簡単に行うことができる。また、従来のように各電線群を挿通した複数のグロメットを異なる複数の開口部に取り付けていた場合に比して、配線スペースを縮小できると共に、開口部の数および面積を減らすことができるため電気接続箱のケースの強度を高めることができる。
【００１２】
前記連結部を一体的に連結して、前記電線挿通口の内周面に嵌合した状態で、前記電線挿通口の両側周縁に沿って突出する位置決めリブを前記連結部の外面に設けていることが好ましい。
これにより、電気接続箱内部への電線挿通口からの浸水を防止でき、かつ、グロメットの電気接続箱への取り付け作業性が向上するうえ装着安定性も高めることができる。
【００１３】
前記分割グロメット部材の筒部を通す電線群の先端に接続した電気部品が、前記筒部を最大に拡径した状態でも挿通不可の場合には、該分割グロメット部材に軸線方向の全長にスリットを設けている。
前記スリットにより、大型の電気部品を接続した電線群であっても、グロメット用拡径機などの特別の設備を用いることなく容易にグロメットを電線群に装着することができるため、作業性を向上でき、製造コストも削減できる。
前記電気部品は前記電気接続箱内に収容するリレーブロック、ヒューズブロックまたはコネクタブロックである。
【００１４】
具体的には、前記分割グロメット部材は２個とし、
１つの分割グロメット部材に通す電線群は前記電気部品と予め接続し、前記電気接続箱に収容した前記電気部品から前記電気接続箱の外部へと引き出す電線群であり、
前記他の１つの分割グロメット部材に予め貫通させた電線群は、前記電線挿通口から前記電気接続箱の内部に挿入し、該電気接続箱の外壁の他の電線挿通口から引き出す電線群である場合に好適に用いられる。
【００１５】
前記複数の分割グロメット部材に挿通した電線群が、前記電気接続箱の外部で異なる方向に配線されるように、前記分割グロメット部材は前記筒部が互いに所定の角度をもって連結される。
【発明の効果】
【００１６】
上述したように、本発明に係るグロメットは、複数個の分割グロメット部材に分離できるため、製造工程が異なる電線群であっても、各電線群に各製造工程において個別に分割グロメット部材を装着することができる。
また、一組の電線群に一つの分割グロメット部材を割り当てることにより、各電線群の外周を各電線挿通用筒部の内周面に隙間なく密着させることができるため、優れた止水性も確保できる。
さらに、各分割グロメット部材の電線挿通用筒部の軸線方向を、該電線挿通用筒部内を挿通する電線群の経路と一致するように設定することができるため、経路や配線スペースの条件が厳しい箇所においても正確に対応することができる。
【００１７】
また、複数の分割グロメット部材を一体的に連結した状態で一つの電線挿通口に取り付けることができるため、配線スペースや、電気接続箱に設ける電線挿通口の数および開口面積を減らすことができ、電気接続箱のケース強度を高めることができる。
【００１８】
さらにまた、各分割グロメット部材に全長スリットを設けると、端部に大型の電気部品を接続した電線群でも、特別な設備を用いることなく容易に分割ブロック部材に挿通することができるため、作業性を向上できると共に、製造コストを抑えることができる。
【発明を実施するための最良の形態】
【００１９】
以下、本発明の実施形態を図面を参照して説明する。
図１乃至図６に、本発明の第一実施形態に係るグロメット１０を示す。
グロメット１０は、図１および図６に示すように、自動車に搭載される電気接続箱５０のケース５１の外壁の角部に設けた１つの電線挿通口５４に装着される。
【００２０】
前記ケース５１は、図１に示すように、ケース本体５２と、該ケース本体５２の下面に被せるロアケース５３と、該ケース本体５２の上面に被せる図示しないアッパケースとからなる。
【００２１】
ケース本体５２の周壁５２ａには、下端から略円弧状に切り欠いて本体側電線挿通口５５を凹設し、該本体側電線挿通口５５の周縁から外方へ断面略半円環形状の本体側グロメット取付片５８を突設している。該本体側電線挿通口５５の内周面には、ケース本体５２の周壁５２ａと面一に連続するグロメット嵌合リブ６０を突設している。
ロアケース５３の周壁５３ａには、上端から略円弧状に切り欠いてロア側電線挿通口５６を凹設し、該ロア側電線挿通口５６の周縁から外方へ断面略半円環形状のロア側グロメット取付片５９を突設している。該ロア側電線挿通口５６の内周面には、ロアケース５３の周壁５３ａと面一に連続するグロメット嵌合リブ６１を突設している。
【００２２】
前記ケース本体５２とロアケース５３は、ケース本体５２の周壁５２ａより突設したロック爪６２を、ロアケース５３から突設した被ロック枠部６３に係止して互いにロック結合される。このロック結合状態において、ケース本体５２の前記本体側電線挿通口５５とロアケース５３の前記ロア側電線挿通口５６とが連続して、一つの電線挿通口５４が形成されると共に、前記本体側グロメット取付片５８とロア側グロメット取付片５９が組み合わされて略円筒形状のグロメット取付筒部５７が形成される構成としている。
【００２３】
前記グロメット１０は、図１および図２に示すように、互いに分離可能に連結される２個の第一、第二分割グロメット部材１１、１２からなり、該第一、第二分割グロメット部材１１、１２はそれぞれゴムまたはエラストマーで一体成形している。
【００２４】
第一分割グロメット部材１１は、図３に示すように、先端にリレーブロック４３を接続した電線群４１に外装して前記ケース本体５２の本体側電線挿通口５５に装着されるものであり、電線挿通用筒部１３と、該電線挿通用筒部１３の外周から突設した連結部１４とを一体に備えている。電線挿通用筒部１３は、その内径を電線群４１の外周に密嵌する寸法とすると共に、図６（Ｂ）に示すように、軸線方向Ａを電線群４１の経路と一致させている。
【００２５】
前記連結部１４は、図２（Ａ）（Ｂ）に示すように、電線挿通用筒部１３の外周から互いに離隔して突設した内側壁部１５と外側壁部１６と、該内側壁部１５と外側壁部１６とを連結する周壁部１７とで囲まれてなる。
前記周壁部１７は、前記第二の分割グロメット部材１２の後述する連結部２４と対向する連結面１７ａを平面とし、前記グロメット取付筒部５７の内周面に当接する外周面１７ｂを湾曲面としている。
【００２６】
前記内側壁部１５は、図６（Ｂ）に示すように、前記ケース本体５２の周壁５２ａと連続して前記本体側電線挿通口５５の周縁と電線挿通用筒部１３の外周面との隙間を閉鎖する形状としている。前記外側壁部１６は、図６（Ａ）に示すように、前記本体側グロメット取付片５８の先端開口周縁部５８ａと電線挿通用筒部１３の外周面との隙間を閉鎖する形状としている。
前記内側壁部１５と外側壁部１６の外周縁部は、図２（Ａ）（Ｂ）に示すように、前記周壁部１７の前記外周面１７ｂの表面よりも外方に突出させて、内側位置決めリブ１９ａおよび外側位置決めリブ１９ｂを形成している。
【００２７】
前記連結部１４の周壁部１７の前記外周面１７ｂには、図２（Ｂ）に示すように、前記内側壁部１５に沿った位置に、前記ケース本体５２のグロメット嵌合リブ６０に嵌合する溝部１８を形成している。
前記連結部１４の周壁部１７の前記連結面１７ａには、図２（Ｂ）に示すように、連結用突起２０を突設すると共に、第二分割ブロック部材１２の後述する連結用突起３０を嵌合する連結用穴２１を凹設している。
【００２８】
前記第一分割グロメット部材１１の軸線方向の全長には、図２（Ｂ）に示すように、前記電線挿通用筒部１３の内周面から外周面、さらに連結部１４の前記連結面１７ａにかけて分断する１本のスリット２２を設けている。該スリット２２の幅は１ｍｍに設定している。
前記連結部１４は、電線挿通用筒部１３の外周面から前記連結面１７ａ側への突出高さを小さく設定しており、前記スリット２２の形成箇所では突出量をゼロとしている。
【００２９】
第二分割グロメット部材１２は、車体の所要箇所に予め配索された電線群４２に外装して前記ロアケース５３のロア側電線挿通口５６に装着される。図２（Ａ）（Ｃ）に示すように、電線挿通用筒部２３と、該電線挿通用筒部２３の外周から突設した連結部２４とを一体に備えている。電線挿通用筒部２３は、その内径を電線群４２の外周面に密嵌する寸法とすると共に、図６（Ｂ）に示すように、その軸線方向Ｂを電線群４２の経路と一致させている。該軸線方向Ｂは、前記第一分割グロメット部材１１の軸線方向Ａとは異なっている。
【００３０】
前記連結部２４は、電線挿通用筒部２３の外周から互いに離隔して突設した内側壁部２５と外側壁部２６と、該内側壁部２５と外側壁部２６とを連結する周壁部２７とで囲んでいる。
前記周壁部２７は、前記第一分割グロメット部材１１の連結部１４と対向する連結面２７ａを平面とし、前記グロメット取付筒部５７の内周面に当接する外周面２７ｂを湾曲面としている。
【００３１】
前記内側壁部２５は、図５（Ｂ）に示すように、前記ロアケース５３の周壁５３ａと連続して前記ロア側電線挿通口５６の周縁と電線挿通用筒部２３の外周面との隙間を閉鎖する形状としている。前記外側壁部２６は、前記ロア側グロメット取付片５９の先端開口周縁部５９ａと電線挿通用筒部２３の外周面との隙間を閉鎖する形状としている。
【００３２】
前記内側壁部２５と外側壁部２６の外周縁部は、図２（Ａ）（Ｃ）に示すように、前記周壁部２７の前記外周面２７ｂの表面よりも外方に突出させて、内側位置決めリブ２９ａおよび外側位置決めリブ２９ｂを形成している。
該内側位置決めリブ２９ａおよび前記内側位置決めリブ１９ａは電線挿通口からグロメットが抜け出すのを防止する抜けとめ機能を有している。
【００３３】
前記連結部２４の周壁部２７の前記外周面２７ｂには、図２（Ａ）に示すように、前記内側壁部２５に沿った位置に、前記ロアケース５３のグロメット嵌合リブ６１に嵌合する溝部２８を形成している。
前記連結部２４の周壁部２７の前記連結面２７ａには、図２（Ａ）に示すように、前記第一分割グロメット部材１１の連結用穴２１に嵌合する連結用突起３０を突設すると共に、第一分割ブロック部材１１の連結用突起２０と嵌合する連結用穴３１を凹設している。該連結面２７ａの形状および大きさは、前記第一分割グロメット部材１１の連結面１７ａと同一形状および同一大きさとしている。
【００３４】
前記第二分割グロメット部材１２の軸線方向の全長には、図２（Ａ）に示すように、前記電線挿通用筒部２３の内周面から外周面、さらに連結部２４の前記連結面２７ａにかけて分断する１本のスリット３２を設けている。該スリット３２の幅は１ｍｍに設定している。
【００３５】
前記連結部２４は、電線挿通用筒部２３の外周面から前記連結面２７ａ側への突出高さは小さく設定し、後述のように第一、第二分割グロメット部材１１、１２を連結した状態において、第一分割グロメット部材１１の電線挿通用筒部１３と第二分割グロメット部材１２の電線挿通用筒部２３とが近接するようにしている。
【００３６】
次に、図３乃至図６を用いて、前記構成のグロメット１０を電線群４１、４２に外装して電気接続箱５０のケース５１に取り付ける手順を説明する。
【００３７】
まず、ワイヤハーネス製造工程において、先端に大型のリレーブロック４３を接続した電線群４１に第一グロメット部材１１を取り付ける。このとき、図３（Ａ）に示すように、第一分割グロメット部材１１の前記スリット２２を開いて電線群４１を電線挿通用筒部１３内に挿通する。挿通後に図３（Ｂ）に示すように、電線挿通用筒部１３のうち連結部１４の外側壁部１６より外方に突出した部分の全長に粘着テープ４５をハーフラップ巻きしてスリット２２を閉鎖する。
ついで、電線群４１に接続した前記リレーブロック４３を、ケース本体５２内のリレーブロック収容部（図示せず）に嵌合する。
【００３８】
一方、電線群４２には第二分割グロメット１２を取り付ける。この場合も、図３（Ａ）（Ｂ）に示す第一分割グロメット部材１１と同様に、第二分割グロメット部材１２のスリット３２を開いて電線群４２を電線挿通用筒部２３内に挿通し、挿通後に、電線挿通用筒部２３のうち連結部２４の外側壁部２６より外方に突出した部分の全長に粘着テープ４５をハーフラップ巻きしてスリット３２を閉鎖する。
【００３９】
ついで、第一分割グロメット部材１１の前記連結面１７ａの連結用突起２０および連結用穴２１を、第二分割グロメット部材１２の前記連結面２７ａの連結用穴３１および連結用突起３０にそれぞれ嵌合させて、図４に示すように、第一分割グロメット部材１１と第二分割グロメット部材１２とを所定の角度をもって連結し、一体化したグロメット１０を形成する。
【００４０】
次に、図５（Ａ）（Ｂ）に示すように、ロアケース５３のグロメット嵌合リブ６１を第二分割グロメット部材１２の溝部２８に嵌め込み、第二分割グロメット部材１２の内側位置決めリブ２９ａをロア側電線挿通口５６の周縁部内側に係止し、外側位置決めリブ２９ｂをロア側グロメット取付片５９の先端開口周縁部５９ａの外側に係止し、ロアケース５３に対してグロメット１０を位置決め固定する。電線群４２は、第二分割グロメット部材１２を介してロア側電線挿通口５６からロアケース５３内に引き込み、そのまま該ロアケース５３に設けた図示しない他の電線挿通口から引き出しておく。
【００４１】
次に、図６（Ａ）に示すように、ロアケース５３および第一分割グロメット部材１１の上にケース本体５２を被せ、該ケース本体５２のグロメット嵌合リブ６０を第一分割グロメット部材１１の溝部１８に嵌め込み、図６（Ｂ）に示すように、第一分割グロメット部材１１の内側位置決めリブ１９ａを本体側電線挿通口５５の周縁部内側に係止し、外側位置決めリブ１９ｂを本体側グロメット取付片５８の先端開口周縁部５８ａの外側に係止する。
【００４２】
最後に、図６（Ａ）に示すように、ケース本体５２のロック爪６２をロアケース６３の被ケース枠部６３に挿入係止して、ケース本体５２とロアケース５３とを互いにロック結合する。
【００４３】
これにより、グロメット１０は、本体側グロメット取付片５８とロア側グロメット取付片５９とで構成されるグロメット取付筒部５７に位置決め固定され、電線群４１、４２は、本体側電線挿通口５５とロア側電線挿通口５６とで構成される一つの電線挿通口５４内を貫通し、かつ、それぞれの経路規制に従って異なる方向に配線される。
【００４４】
このように、前記構成のグロメット１０は、それぞれ１つの電線挿通用筒部１３、２３を備えた小型の第一分割グロメット部材１１と第二分割グロメット部材１２とに分離して個別に扱うことができる。
従って、電気接続箱内に収容するリレーブロック４３が端末に接続された電線群４１と、電気接続箱内を貫通させる電線群４２とに夫々装着する第一、第二分割グロメット部材１１、１２とを、車両組み立て工程において連結して電気接続箱の１つの電線挿通口に組みつけることができる。
【００４５】
さらに、第一、第二分割グロメット部材１１、１２の互いの連結用突起２０、３０と連結用穴２１、３１を嵌合して予め連結し、複数の電線群４１、４２を一つのグロメット１０で外装された状態として、電気接続箱５０の一つの電線挿通口５４に挿通させることができる。しかも、第一分割グロメット部材１１の電線挿通用筒部１３と第二分割グロメット部材１２の電線挿通用筒部２３を、連結状態において互いに近接するように設定しているため、一体化したグロメット１０の径を一般的なグロメットと殆ど大差ない径とすることができる。従って、電気接続箱５０のケース５１に設ける電線挿通口５４の数および開口面積を減らすことができるため、ケース５１の強度低下を防止できるうえ、電線群４１、４２の配線スペースの縮小も可能となる。
【００４６】
また、第一、第二分割グロメット部材１１、１２に設けた各電線挿通用筒部１３、２３の貫通方向Ａ、Ｂは、それぞれ内部に挿通する電線群４１、４２の経路と一致させているため、正確な経路規制が可能となり、電線群４１、４２の余長や配線スペースの余裕がない場合でも的確に対応することができる。
【００４７】
さらにまた、第一、第二分割グロメット部材１１、１２には全長にスリット２２、３２を設けているため、電線群４１のように端末に大型の電気部品が接続されている場合でも、特別な拡径機を用いることなく容易に電線群を挿通することができ、作業性を向上できると共に製造コストも抑えることができる。
【００４８】
なお、前記第一実施形態においては、第二分割グロメット部材１２に、電気接続箱５０内をスルーする電線群４２を挿通しているが、これに限定されるものではなく、電気接続箱５０内の収容されるヒューズブロックまたはコネクタブロックを端末に接続した電線群に第二分割グロメット部材１２を取り付け、該電線群と、第一分割グロメット部材１１に挿通した電線群４１とを、電気接続箱５０の外部で異なる方向に配線する構成としてもよい。
【００４９】
あるいは、グロメットを３つの分割グロメット部材からなる構成とし、電気接続箱５０内に収容されるリレーブロック、ヒューズブロック、コネクタブロックをそれぞれ端末に接続した３束の電線群を各分割グロメット部材に挿通し、電気接続箱５０の一つの電線挿通口５４に挿通する構成としてもよい。
【００５０】
さらに、第一、第二分割グロメットを連結する連結用突起と連結用穴とは、図７（Ａ）に示すように突条２０ー１（３０ー１）と溝２１−１（３１−１）でも良い。さらに、図７（Ｂ）に示すようにＴ字状の突起と２０−２（３０−２）、該突起が嵌合するアリ溝２１−２（３１−２）でもよい。
【図面の簡単な説明】
【００５１】
【図１】本発明の第一実施形態に係るグロメットと該グロメットを取り付ける電気接続箱のケース本体およびロアケースの斜視図である。
【図２】図１に示すグロメットの分解斜視図であり、（Ａ）はグロメットの分割状態を示す図、（Ｂ）は第一分割グロメット部材を連結面側からみた図、（Ｃ）は第二分割グロメット部材を外周面側からみた図である。
【図３】電線群への第一分割グロメット部材の装着作業示す説明斜視図であり、（Ａ）は第一分割グロメット部材への電線群の挿通作業を示す図、（Ｂ）は挿通後に第一分割グロメット部材にテープ巻き作業を示す図である。
【図４】第一、第二分割グロメット部材を連結した状態を示す斜視図である。
【図５】ロアケースにグロメットを取り付けた状態を示し、（Ａ）はその斜視図、（Ｂ）は第二分割グロメット部材とロアケースとの嵌合構造を示す説明斜視図である。
【図６】電気接続箱へのグロメットの取り付け完了状態を示し、（Ａ）は斜視図、（Ｂ）は説明平面図である。
【図７】（Ａ）（Ｂ）は変形例を示す要部斜視図である。
【図８】従来例の図である。
【図９】他の従来例の図である。
【符号の説明】
【００５２】
１０  グロメット
１１  第一分割グロメット部材
１２  第二分割グロメット部材
１３、２３  電線挿通用筒部
１４、２４  連結部
１７、２７  周壁部
１７ａ、２７ａ  連結面
２０、３０  連結用突起
２１、３１  連結用穴
２２、３２  スリット
４１、４２  電線群
５０  電気接続箱
５１  ケース
５４  電線挿通口
【図１】
0005160306.tif 000002
【図２】
0005160306.tif 000003
【図３】
0005160306.tif 000004
【図４】
0005160306.tif 000005
【図５】
0005160306.tif 000006
【図６】
0005160306.tif 000007
【図７】
0005160306.tif 000008
【図８】
0005160306.tif 000009
【図９】
0005160306.tif 000010